(57)【特許請求の範囲】
【請求項１】
硬質材料からなる固定片の上面にリングが固定され、該固定片の下面に弾性シール層が積層一体化された固定装置本体と、
釘、ねじ、ボルト等の取付具とを備えてなり、
前記固定装置本体における少なくとも固定片に、上下方向に貫通する取付孔が２個以上設けられていることを特徴とする安全ロープ固定装置。
【請求項２】
前記固定片が略平盤状に形成され、前記固定片の中央部に前記リングが固定され、このリングの周囲に前記取付孔が配置されている請求項１に記載の安全ロープ固定装置。
【請求項３】
前記弾性シール層の厚さが３ｍｍ以上である請求項１または２に記載の安全ロープ固定装置。
【請求項４】
前記弾性シール層は、ゴムフォームまたは熱可塑性エラストマーからなる請求項１〜３のいずれか１項に記載の安全ロープ固定装置。
【請求項５】
前記弾性シール層における前記取付孔対応位置に孔が穿設されていない請求項１〜４のいずれか１項に記載の安全ロープ固定装置。
【発明の詳細な説明】
【０００１】
【発明の属する技術分野】
この発明は、例えば陸屋根の平場や、腰壁、パラペット等の壁躯体等に安全ロープの片端を固定するために用いられる安全ロープ固定装置に関する。
【０００２】
【従来の技術】
従来より、２、３階建て住宅等の屋上、下屋、壁面等の補修工事を行う際には、作業者の転落防止を図るために、安全ロープの一端を作業者の腰ベルトに固定する一方、他端を、単管又は板枠で構築された作業足場に固定することが多く行われている。
【０００３】
また、２、３階建て住宅等の外壁の補修を行う際には、住宅の外壁に対して梯子をやや斜めにして立て掛けてこれに昇って作業を行ったり、脚立に昇って作業を行うことがあるが、これら梯子や脚立の位置ずれ防止、更には転倒防止を目的として、安全ロープの一端を梯子や脚立に固定する一方、他端を、単管又は板枠で構築された作業足場に固定することが多く行われていた。
【０００４】
【発明が解決しようとする課題】
大掛かりな補修工事や長期間にわたる工事では、上記単管又は板枠による作業足場が構築されることが多い。しかしながら、一般的な補修工事や比較的軽微な補修工事では、単管又は板枠による作業足場が構築されることは殆どなく、従ってこのような補修工事では前記安全ロープの他端を固定する場所がないというのが実状であった。もちろん、このような場合においても単管又は板枠による作業足場を構築すれば良いのであるが、このような作業足場の構築費用が、主目的とする補修工事の費用を上回ってしまい、前記単管又は板枠による作業足場の構築は、コスト面から到底採用することができなかった。
【０００５】
この発明は、かかる技術的背景に鑑みてなされたものであって、安全ロープの片端を、陸屋根の平場や壁躯体等に短時間で簡単にかつ低コストで固定することを可能ならしめる安全ロープ固定装置を提供することを目的とする。
【０００６】
【課題を解決するための手段】
上記目的は、硬質材料からなる固定片の上面にリングが固定され、該固定片の下面に弾性シール層が設けられた固定装置本体と、釘、ねじ、ボルト等の取付具とを備えてなり、前記固定装置本体における少なくとも固定片に、上下方向に貫通する取付孔が２個以上設けられていることを特徴とする安全ロープ固定装置によって達成される。
【０００７】
陸屋根の平場面（通常はこの上に防水シートが敷設施工されている）等の下地躯体に固定装置本体を弾性シール層を下側にして載置し、取付具を取付孔に挿通して取付具を下地躯体に固定すると共に、固定片に設けられたリングに安全ロープの一端側を連結するだけで、安全ロープの片端を確実に固定できるものであり、このように本安全ロープ固定装置を用いれば、安全ロープの片端を陸屋根の平場面等の下地躯体に短時間で簡単にかつ低コストで固定できる。また、固定装置本体には、その下面に弾性シール層が設けられているので、この安全ロープ固定装置を陸屋根の平場面等の下地躯体に固定した状態時において（即ち工事期間中に）降雨があっても、平場面等における取付具の固定箇所を弾性シール層が密着状態にシールすることができ、これにより住宅家屋等における雨漏りの発生を防止できる。更に、本装置は簡単な構成であってコンパクトに構成できるので、本装置をバルコニーや陸屋根等へ運搬する際には、住宅の中（例えば玄関、階段、室内等）を通って何ら支障なくスムーズに運搬できる利点もある。
【０００８】
固定片は略平盤状に形成され、固定片の中央部にリングが固定され、該リングの周囲に取付孔が配置されているのが、好ましい。固定片が略平盤状に形成されているので作業や歩行等の障害となるようなことがない。また、中央部に配置されたリングの周囲に取付孔が配置されているので、強度バランスに優れており、安全ロープをリングに連結して作業を行っている状態時において、この安全ロープ固定装置の陸屋根平場面等の下地躯体に対する取付固定強度が一層向上される。
【０００９】
弾性シール層の厚さは３ｍｍ以上であるのが好ましく、これにより工事期間中における雨漏りの発生を確実に防止できる。
【００１０】
また、前記目的は、腰壁、パラペット等の壁躯体の両側面を挟み込んでこれに固定し得るクランプ体と、該クランプ体に設けられたリングとを備えてなることを特徴とする安全ロープ固定装置によって達成される。
【００１１】
クランプ体を壁躯体に挟み込み固定する一方、クランプ体に設けられたリングに安全ロープの一端側を連結するだけで、安全ロープの片端を確実に固定できるものであり、このように本安全ロープ固定装置を用いれば、安全ロープの片端を腰壁、パラペット等の壁躯体等に短時間で簡単にかつ低コストで固定できる。
【００１２】
また、前記目的は、壁躯体の上面に当接される水平部と、該水平部の両端から垂直状に延ばされた一対の直立部とからなる断面が略コの字形状に形成されたクランプ本体部と、前記一対の直立部のそれぞれから内方に向けて突設された挟み込み用脚部と、前記本体部又は挟み込み用脚部に設けられたリングとを備えてなり、少なくともいずれか一方の挟み込み用脚部がその長さ方向に進退自在に螺合し得るようになされていることを特徴とする安全ロープ固定装置によっても達成される。
【００１３】
前記同様に、クランプ本体部を壁躯体に挟み込み固定する一方、リングに安全ロープの一端側を連結するだけで、安全ロープの片端を確実に固定できるものであり、このように本安全ロープ固定装置を用いれば、安全ロープの片端を腰壁、パラペット等の壁躯体等に短時間で簡単にかつ低コストで固定できる。また、水平部を壁躯体の上面に当接させた状態でクランプ本体部を壁躯体に挟み込み固定することができるので、一段と安定した状態でクランプ本体部を壁躯体に固定することができる。更に、少なくともいずれか一方の挟み込み用脚部がその長さ方向に進退自在に螺合し得るようになされており、これを進退操作するだけで挟み込み固定することができるので、挟み込み固定操作が非常に簡単化され、これにより固定完了までの時間が一層短縮化される。
【００１４】
上記構成の安全ロープ固定装置において、一対の直立部のそれぞれに１個以上のリングが設けられた構成を採用するのが好ましい。いずれか一方の直立部が壁躯体に対してその内方側に配置され、他方の直立部が壁躯体に対してその外方側に配置されることとなるのであるが、これら直立部のいずれにもリングを設けた構成としているから、安全ロープの取付固定に際してその固定位置を壁躯体の内方側、外方側のいずれの位置も選択することができ、従って親綱の固定、梯子や脚立の固定等いかなる用途にも対応できるものとなり、汎用性に優れている。
【００１５】
一対の直立部のうち一方の直立部から突設された挟み込み用脚部がその長さ方向に進退自在に螺合し得るようになされ、他方の直立部から突設された挟み込み用脚部は該直立部に対して固定されているのが好ましい。いずれか一方の直立部が壁躯体に対してその内方側に配置されるものであり、この直立部から突設された挟み込み用脚部を進退操作して挟み込み固定を完了することができ、従って挟み込み固定のための螺合操作を壁躯体内側の陸屋根等において行うことができ、挟み込み固定作業の作業性を顕著に向上できる。これに対し、両方の直立部から突設された挟み込み用脚部が進退自在に螺合しうるようになされている場合には、壁躯体の外方側に配置された挟み込み用脚部に対しても螺合操作を行う必要があり、その際壁躯体から外方へ作業者の体を大きく乗り出して行わなければならず、挟み込み固定作業の作業性に劣るものとなるし、安全面からも好ましいものではない。
【００１６】
挟み込み用脚部の先端には弾性部材が接合されているのが好ましい。これにより、壁躯体の表面に傷等の接触痕が残るのを効果的に防止することができる。
【００１７】
更に、水平部の長さ方向の中間部に、該長さ方向と略直交する態様で上部延長杆が固定され、該上部延長杆の両端部から内方に向けて当接脚部が突設された構成を採用するのが、好ましい。挟み込み固定の際に壁躯体上面の長さ方向に沿って配置される上部延長杆の両端部に当接脚部が突設されており、このような当接脚部を壁躯体の上面に当接させた状態で挟み込み固定するので、挟み込み固定の安定性が顕著に向上される。
【００１８】
【発明の実施の形態】
第１発明の安全ロープ固定装置（１）の一実施形態を図１、２に示す。この安全ロープ固定装置（１）は、陸屋根や下屋の平場面（上面）に対して安全ロープを固定するのに好適に用いられるものである。
【００１９】
安全ロープ固定装置（１）は、図１に示すように、固定装置本体（２）と、取付具（３）（３）（３）（３）（３）（３）とから構成される。なお、本実施形態では、前記取付具（３）としてねじを採用しているが、特にこれに限定されるものではなく、下地躯体に対して取付固定し得るものであればどのようなものでも使用でき、その他に例えばボルト、釘等を例示できる。
【００２０】
図１、２に示すように、前記固定装置本体（２）は、金属、硬質プラスチック等の硬質材料からなる平盤状固定片（１０）と、該固定片（１０）の上面に固定されたリング（１１）と、固定片（１０）の下面に積層一体化された弾性シール層（１３）とからなる。
【００２１】
前記固定片（１０）の上面の中心部には雌ねじ孔（１０ａ）が設けられており、前記リング（１１）の軸部（１１ａ）がこの雌ねじ孔（１０ａ）に螺合されることによって前記固定片（１０）の上面の中心部にリング（１１）が固定されるものとなされている。
【００２２】
前記固定片（１０）におけるリング（１１）の周囲部には、上下方向に貫通する取付孔（１２）（１２）（１２）（１２）（１２）（１２）が等間隔で設けられている。この取付孔（１２）の断面形状は、図２に示すように、２段形状であり、上方側の孔の径は、前記取付具（３）の頭部を受容しうる大きさに設定される一方、下方側の孔の径は、前記取付具（３）の軸部に対応した大きさに設定されて頭部を受容できないように設計されている。
【００２３】
本実施形態では、取付孔（１２）は６個設けるものとしているが、この取付孔（１２）の数は２個以上とする必要があり、２個以上であれば特に限定されない。取付孔（１２）が１個ではこの安全ロープ固定装置を安定状態に固定することができない。中でも、取付孔（１２）の数は４個以上とするのが、固定強度を一層向上できる点で、好ましい。
【００２４】
また、上記と同理由で、取付具（３）の数は２個以上とする必要があり、２個以上であれば特に限定されない。上記と同理由で取付具（３）の数は４個以上とするのが好ましい。
【００２５】
前記弾性シール層（１３）の素材としては、特に限定されるものではないが、例えばゴムフォーム、熱可塑性エラストマー等を例示できる。
【００２６】
また、前記弾性シール層（１３）の厚さは３ｍｍ以上に設定するのが好ましい。３ｍｍ未満では弾性シール層としての止水（防水）効果が十分に確保されなくなる可能性があるので好ましくない。中でも、前記弾性シール層（１３）の厚さは５ｍｍ以上に設定するのが一層好ましい。
【００２７】
また、前記固定片（１０）の厚さは５〜１０ｍｍとし、かつ外径は２００〜３００ｍｍの範囲とするのが、例えば陸屋根躯体（５０）の平場面に設けた場合にも作業の障害となることが殆どない点で、好ましい。
【００２８】
なお、本実施形態では、図２に示すように弾性シール層（１３）における取付孔（１２）対応位置には孔が穿設されていない構成を採用しているが、該対応位置に孔が穿設された構成を採用しても良い。ただ、止水効果を十分に確保する観点から、本実施形態のような孔が穿設されていない構成とするのが好ましい。
【００２９】
また、本実施形態では、リング（１１）の形状として円形形状を採用しているが、特にこれに限定されるものではなく、例えば四角形形状等の多角形形状を採用することもできる。
【００３０】
次に、前記安全ロープ固定装置（１）を、陸屋根や下屋の平場面等の下地躯体に固定する方法の一例を説明する。
【００３１】
ここで例示する固定対象は、陸屋根躯体（５０）の平場面であり、これの上面には防水シート（５１）が敷設されている（図３、４参照）。
【００３２】
まず、固定装置本体（２）を、弾性シール層（１３）を下側にして陸屋根躯体（５０）の平場面（上面）に敷設された防水シート（５１）の上に載置せしめると共に、前記取付具（３）（３）（３）（３）（３）（３）をそれぞれ前記固定片（１０）の取付孔（１２）（１２）（１２）（１２）（１２）（１２）に挿通し、更に弾性シール層（１３）を貫通せしめてこれら取付具を陸屋根躯体（５０）に打ち込むことによって、固定装置本体（２）を陸屋根躯体（５０）の平場面に強固に固定する。
【００３３】
次いで、図３、４に示すように、安全ロープ（５３）の一端側に取り付けられた連結フック（５２）を、前記固定装置本体（２）のリング（１１）に引っ掛けて装着することによって、安全ロープ（５３）の片端を陸屋根躯体（５０）の平場面に対して確実に固定することができる。このように本発明の安全ロープ固定装置（１）を用いれば、安全ロープ（５３）の片端を陸屋根躯体（５０）の平場面等の下地躯体に短時間で簡単にかつ低コストで固定できる。また、固定装置本体（２）にはその下面に弾性シール層（１３）が設けられているので、平場面等の下地躯体における取付具（３）の固定箇所を弾性シール層（１３）が密着した状態でシールするものとなり、これにより安全ロープ固定装置（１）を固定した状態時において（即ち工事期間中に）降雨があっても、住宅家屋等における雨漏りを防止することができる。
【００３４】
なお、図４に示すように、本実施形態では、前記取付具（３）を、前記固定片（１０）の取付孔（１２）に挿通する際に、これらの間に弾性部材（１４）を介在せしめているので、前記防水効果を一層高めることができる。
【００３５】
しかして、図５（イ）に示すように、陸屋根躯体（５０）の平場面において前記安全ロープ固定装置（１）（１）を相互に離間して固定せしめ、両安全ロープ固定装置（１）（１）間に親綱（５４）を架けわたしてこれらに連結する一方、一端が作業者の腰ベルト等に連結固定された安全ロープ（５３）の他端側に取り付けられた連結フック（５２）を親綱（５４）に装着するものとすれば、作業者が作業中に陸屋根躯体（５０）の平場面から転落することを防止することができる。
【００３６】
また、図５（ロ）に示すように、陸屋根躯体（５０）の平場面において前記安全ロープ固定装置（１）を固定する一方、外壁に対してやや斜めにして立て掛けられた梯子に昇った作業者の腰ベルト等に一端側が連結固定された安全ロープ（５３）の他端側の連結フック（５２）を前記安全ロープ固定装置（１）のリング（１１）に引っ掛けて装着するものとすれば、作業者の転落を効果的に防止することができる。
【００３７】
また、図５（ハ）に示すように、陸屋根躯体（５０）の平場面において前記安全ロープ固定装置（１）を固定する一方、外壁に対してやや斜めにして立て掛けられた梯子の一部に一端側が連結固定された安全ロープ（５３）の他端側の連結フック（５２）を前記安全ロープ固定装置（１）のリング（１１）に引っ掛けて装着するものとすれば、作業中における梯子の位置ずれを防止できるし、梯子の転倒も防止できる。
【００３８】
なお、作業終了後においては、取付具（３）を陸屋根躯体（５０）より引き抜いて固定装置本体（２）を取り外した後、防水シート（５１）における取付具固定箇所（取付具の打ち込み、螺合等によりできた孔）にシール材を充填して、防水シート（５１）の防水性能の維持を図る。
【００３９】
次に、第２発明の安全ロープ固定装置（２０）の一実施形態を図６に示す。この安全ロープ固定装置（２０）は、腰壁、パラペット等の壁躯体（６０）に対して安全ロープを固定するのに好適に用いられるものである。この安全ロープ固定装置（２０）を示す図６において、（２１）はクランプ体、（２５）はリング、（３３）は上部延長杆、（３４）（３５）は当接脚部である。
【００４０】
クランプ体（２１）は、クランプ本体部（２２）と挟み込み用脚部（２３）（２４）とから構成される。
【００４１】
前記クランプ本体部（２２）は、壁躯体（６０）の上面（６０ａ）に当接される水平部（３０）と、該水平部（３０）の両端からこれに垂直状に延ばされた一対の直立部（３１）（３２）とからなり、断面が略コの字のフレーム形状に形成されたものであり、該コの字形状の内側空間内に壁躯体（９０）の上部を挿入し得るものとなされている。
【００４２】
前記水平部（３０）及び直立部（３１）（３２）は、いずれも中空の角（四角形状）パイプからなる。前記水平部（３０）の両端は斜め４５度にカッティングされており、この両端のカット面に、直立部（３１）（３２）の上端の同じく斜め４５度のカット面がそれぞれ突き合わせ状に配置されて溶接されることによって、略コの字形状のクランプ本体部（２２）が形成されている。
【００４３】
更に、このクランプ本体部（２２）の２つのコーナー部には、それぞれその表裏にコーナー接合片（４０）（４０）が当接配置されると共に、該コーナー接合片（４０）はいずれも水平部（３０）及び直立部（３１）（３２）の両方に溶接接合されており、これにより水平部（３０）と直立部との接合強度が十分に確保されるものとなり、ひいては十分な強度を備えたクランプ本体部（２２）が構成される。なお、前記一対の直立部（３１）（３２）のうちの一方の直立部（３２）の長さが他方の直立部（３１）の長さよりも長く設定されている。
【００４４】
前記一対の直立部（３１）（３２）における下方位置からは、図７（ロ）に示すように、挟み込み用脚部（２３）（２４）がそれぞれ内方に向けて相互に対峙する態様で突設されている。長さの短い直立部（３１）から突設された挟み込み用脚部（２３）は、その長さ方向に進退自在に螺合できるように構成されている。即ち、前記直立部（３１）の下方位置には、水平部（３０）の軸線方向と同方向に延びる挿通孔（４１）が穿設され、直立部（３１）の外方側の側面における前記挿通孔（４１）の穿設位置にナット（４２）が溶接により接合されて該ナット（４２）の雌ねじ孔と前記挿通孔（４１）が連通状態となされる一方、前記挟み込み用脚部（２３）のボルト軸（２３ａ）が前記挿通孔（４１）に挿通され、更にナット（４２）の雌ねじ孔に螺合され、前記ボルト軸（２３ａ）の外方先端側に取り付けられたレバー（２３ｃ）を右または左回転させて前記雌ねじ孔に螺合することによって、前記ボルト軸（２３ａ）の内方先端側に設けられた当接片（２３ｂ）を、ボルト軸（２３ａ）の長さ方向に進退自在に移動し得るものとなされている。
【００４５】
一方、長さの長い直立部（３２）から突設された挟み込み用脚部（２４）は、該直立部（３２）に対して固定されており、内方先端側に設けられた当接片（２４ｂ）の位置は移動できないものとなされている。
【００４６】
前記挟み込み用脚部の当接片（２３ｂ）（２４ｂ）の先端には、弾性部材（２６）が接合されている。本実施形態では、弾性部材（２６）としてゴム製パッドが用いられている。
【００４７】
前記直立部（３１）の外方側側面の中央部にはアイボルトからなるリング（２５）が取付固定されている。即ち、直立部（３１）の側面に設けられた雌ねじ孔にアイボルトの軸部が螺合固定されることによって、アイボルトからなるリング（２５）が外方側に突出する態様で直立部（３１）に固定されている。
【００４８】
また、前記直立部（３２）の外方側側面の下方部にもアイボルトからなるリング（２５）が取付固定されている。即ち、直立部（３２）の側面に設けられた雌ねじ孔にアイボルトの軸部が螺合固定されることによって、アイボルトからなるリング（２５）が外方側に突出する態様で直立部（３２）の下方部に固定されている。
【００４９】
更に、前記水平部（３０）上面の長さ方向の中間部におけるやや直立部（３２）側の位置で、該長さ方向と直交する態様で上部延長杆（３３）が取付固定されている。即ち、図６及び図７（ロ）に示すように、一対の断面略Ｌ字形状の取付片（４３）（４３）が相互に離間して水平部（３０）上面の長さ方向の中間部におけるやや直立部（３２）側の位置に配置され、これら取付片（４３）（４３）の水平部（４３ａ）（４３ａ）がそれぞれ水平部（３０）上面に溶接接合されると共に、一対の垂直部（４３ｂ）（４３ｂ）間に上部延長杆（３３）の中間部が挿入配置され、該上部延長杆（３３）がボルトによってこれら垂直部（４３ｂ）（４３ｂ）に固定されることによって、上部延長杆（３３）が水平部（３０）上面に強固に取付固定されるものとなされている。
【００５０】
更に、前記上部延長杆（３３）の両端部から内方（下方）に向けて当接脚部（３４）（３５）が突設されている。即ち、前記上部延長杆（３３）の両端部にはそれぞれ垂直方向に挿通孔（４４）（４４）が穿設され、該上部延長杆（３３）の上面における前記挿通孔（４４）（４４）の穿設位置にそれぞれナット（４５）（４５）が溶接により接合されて、該ナット（４５）の雌ねじ孔と前記挿通孔（４４）が連通状態となされる一方、前記当接脚部（３４）（３５）のボルト軸（３４ａ）（３５ａ）がそれぞれ下方側から前記挿通孔（４４）（４４）に挿通され、更にそれぞれナット（４５）（４５）の雌ねじ孔に螺合固定されることによって、前記当接脚部（３４）（３５）が下方に向けて突設されるものとなされている。この当接脚部（３４）（３５）の下方（内方）先端側には、それぞれ当接片（３４ｂ）（３５ｂ）を備え、該当接片（３４ｂ）（３５ｂ）の先端には弾性部材（３６）が接合されており、壁躯体（６０）を挟み込み固定する際にはこれら当接片（３４ｂ）（３５ｂ）先端の弾性部材（３６）（３６）を壁躯体（６０）の上面（６０ａ）に当接させた状態で挟み込み固定する。なお、本実施形態では、前記弾性部材（３６）としてゴム製パッドが用いられている。
【００５１】
次に、前記安全ロープ固定装置（２０）を、腰壁、パラペット等の壁躯体等に固定する方法の一例を説明する。
【００５２】
まず、図７に示すように、前記上部延長杆（３３）の両端部から突設された当接脚部（３４）（３５）の先端の弾性部材（３６）（３６）が、壁躯体（６０）の上面（６０ａ）に当接する態様で、壁躯体（６０）の両側面をクランプ体（２１）で挟み込んだ後、前記レバー（２３ｃ）を手で回転させて挟み込み用脚部（２３）を直立部（３１）に設けられたナット（４２）の雌ねじ孔に螺合していくことによって、挟み込み用脚部（２３）の当接片（２３ｂ）を壁躯体（６０）に当接させ、更に螺合締付けしてクランプ体（２１）を壁躯体（６０）に強固に挟み込み固定する。
【００５３】
この時、挟み込み用脚部（２３）（２４）の当接片（２３ｂ）（２４ｂ）の先端に弾性部材（２６）が接合されると共に、前記当接脚部（３４）（３５）の先端にも弾性部材（３６）（３６）が接合されているので、壁躯体（６０）を傷付けることを効果的に防止できる。
【００５４】
次いで、図７に示すように、安全ロープ（５３）の一端側に取り付けられた連結フック（５２）を、前記固定装置（２０）のリング（２５）に引っ掛けて装着することによって、安全ロープ（５３）の片端を壁躯体（６０）等に短時間で簡単にかつ低コストで固定できる。
【００５５】
しかして、図８（イ）に示すように、離間して対向配置された壁躯体（６０）（６０）のそれぞれに前記安全ロープ固定装置（２０）（２０）を固定すると共に、両安全ロープ固定装置（２０）（２０）間に親綱（５４）を架けわたしてこれらに連結する一方、一端が作業者の腰ベルト等に連結固定された安全ロープ（５３）の他端側に取り付けられた連結フック（５２）を親綱（５４）に装着するものとすれば、作業者が作業中に陸屋根躯体（５０）の平場面から転落することを防止することができる。
【００５６】
また、図８（ロ）に示すように、壁躯体（６０）に前記安全ロープ固定装置（２０）を固定する一方、外壁に対してやや斜めにして立て掛けられた梯子に昇った作業者の腰ベルト等に一端側が連結固定された安全ロープ（５３）の他端側の連結フック（５２）を前記安全ロープ固定装置（２０）のリング（２５）に引っ掛けて装着するものとすれば作業者の転落を効果的に防止することができる。
【００５７】
また、図８（ハ）に示すように、壁躯体（６０）に前記安全ロープ固定装置（２０）を固定する一方、外壁に対してやや斜めにして立て掛けられた梯子の一部に一端側が連結固定された安全ロープ（５３）の他端側の連結フック（５２）を前記安全ロープ固定装置（２０）のリング（２５）に引っ掛けて装着するものとすれば、作業中における梯子の位置ずれを防止できるし、梯子の転倒も防止できる。
【００５８】
この発明において、安全ロープ固定装置（１）（２０）の用途は、上記例示のものに特に限定されるものではない。
【００５９】
【発明の効果】
請求項１に係る発明によれば、固定装置本体を下地躯体に載置し、取付孔に取付具を挿通して下地躯体に固定すると共に、固定片に設けられたリングに安全ロープの一端側を連結するだけで、安全ロープの片端を確実に固定することができ、このように安全ロープの片端を陸屋根の平場面等の下地躯体に短時間で簡単にかつ低コストで固定できる。また、固定装置本体の下面に弾性シール層が設けられているので、固定した状態において降雨があっても、住宅家屋等における雨漏り発生を防止できる。更に、本装置は構成が簡単ゆえにコンパクトに構成できるので、陸屋根等へ運搬する際には住宅の中を通って何ら支障なくスムーズに運搬することができる。
【００６０】
請求項２の発明によれば、固定片が略平盤状に形成されているので固定時に作業や歩行等の障害となるようなことがないし、中央部に配置されたリングの周囲に取付孔が配置されているので強度バランスが良く取付固定強度を一層向上させることができる。
【００６１】
請求項３の発明によれば、本装置の固定状態において降雨があっても雨漏りの発生を確実に防止できる。
【図面の簡単な説明】
【図１】第１発明の安全ロープ固定装置の一実施形態を示す斜視図である。
【図２】図１におけるＡ−Ａ線の断面図である。
【図３】第１発明の安全ロープ固定装置を陸屋根の平場面に固定した状態を示す斜視図である。
【図４】図３におけるＢ−Ｂ線の断面図である。
【図５】（イ）（ロ）（ハ）いずれも第１発明の安全ロープ固定装置の使用例を示す斜視図である。
【図６】第２発明の安全ロープ固定装置の一実施形態を示す斜視図である。
【図７】第２発明の安全ロープ固定装置を壁躯体に固定した状態を示す図であって、（イ）は正面図、（ロ）は左側面図である。
【図８】（イ）（ロ）（ハ）いずれも第２発明の安全ロープ固定装置の使用例を示す斜視図である。
【符号の説明】
１…安全ロープ固定装置
２…固定装置本体
３…取付具
１０…固定片
１１…リング
１２…取付孔
１３…弾性シール層
２０…安全ロープ固定装置
２１…クランプ体
２２…クランプ本体部
２３…挟み込み用脚部
２４…挟み込み用脚部
２５…リング
２６…弾性部材
３０…水平部
３１…直立部
３２…直立部
３３…上部延長杆
３４…当接脚部
３５…当接脚部
６０…壁躯体
６０ａ…上面
【図１】
0004685293.tif 000002
【図２】
0004685293.tif 000003
【図３】
0004685293.tif 000004
【図４】
0004685293.tif 000005
【図５】
0004685293.tif 000006
【図６】
0004685293.tif 000007
【図７】
0004685293.tif 000008
【図８】
0004685293.tif 000009